(57)【要約】【課題】  小型化により、容易に取り扱うことのできる昇降装置を提供することを目的とする。【解決手段】  昇降装置１は、基台２と前記基台２に設置された伸縮自在の支柱３と前記支柱３に支持されたテーブル４とを備える。支柱３は、内部支柱3aと前記内部支柱3aに上下動自在に外嵌した外部支柱3bとからなる。内部支柱3aは、下端において前記基台２の側部材2aに固定されており、この内部支柱3aに対し外部支柱3bを相対的に上下動させることにより支柱３を伸縮させる。テーブルを昇降させる昇降手段20は、前記支柱３に対し前記テーブル４を相対的に上下動させる移動装置21と、前記支柱３を伸縮させる伸縮装置22とからなる。【選択図】図１
2006312520.tif 000002
【特許請求の範囲】
【請求項１】
基台と、前記基台に保持された伸縮自在の支柱と、前記支柱に支持された移動手段を有するテーブルと、前記テーブルを昇降させる昇降手段とを備え、前記支柱は、前記基台に保持された内部支柱と、前記内部支柱に摺動自在に外嵌した外部支柱とからなり、前記昇降手段は、前記外部支柱に対し前記テーブルを相対的に上下動させる移動装置と、前記内部支柱に対し前記外部支柱を相対的に上下動させる伸縮装置とからなることを特徴とする昇降装置。
【請求項２】
前記テーブルの下部に前記基台を収納する収納部を設けることを特徴とする請求項１記載の昇降装置。
【請求項３】
前記テーブルは、一対の側枠体を有し、前記側枠体は前記支柱に上下動可能に備えられると共に、前記昇降手段を駆動する駆動手段を有することを特徴とする請求項１又は２記載の昇降装置。
【請求項４】
前記側枠体に操作部を設けることを特徴とする請求項３記載の昇降装置。
【請求項５】
前記伸縮装置は、一端が前記側枠体に固定され、他端が前記外部支柱の上端に設けた第１滑車を介して前記内部支柱の上端に固定される第１チェーンと、一端が前記側枠体に固定され、他端が前記外部支柱の下端に設けた第２滑車を介して前記内部支柱の上端に固定される第２チェーンとからなることを特徴とする請求項１〜４いずれか１項記載の昇降装置。
【発明の詳細な説明】
【技術分野】
【０００１】
本発明は、室内外で使用する作業用等の昇降装置に関するものである。
【背景技術】
【０００２】
従来、この種の昇降装置として、支持脚を備えたベースと、前記ベース上に昇降駆動装置を備えたリンク機構を介して設けた作業台と、前記ベースに昇降自在に設けた車輪と、前記リンク機構の昇降に応動して前記車輪を昇降せしめる車輪昇降駆動装置とを備えた昇降装置が開示されている（例えば特許文献１）。
【特許文献１】特開平１０−２７７９６７号公報
【発明の開示】
【発明が解決しようとする課題】
【０００３】
しかしながら、上記した特許文献においては、油圧シリンダーを備えたリンク機構により作業台を昇降させることとしているので、装置が大型化し、取り扱いが困難となるという問題があった。
【０００４】
そこで、本発明は上記した問題点に鑑み、小型化して容易に取り扱うことのできる昇降装置を提供することを目的とする。
【課題を解決するための手段】
【０００５】
上記目的を達成するために、請求項１に係る発明は、基台と、前記基台に保持された伸縮自在の支柱と、前記支柱に支持された移動手段を有するテーブルと、前記テーブルを昇降させる昇降手段とを備え、前記支柱は、前記基台に保持された内部支柱と、前記内部支柱に摺動自在に外嵌した外部支柱とからなり、前記昇降手段は、前記外部支柱に対し前記テーブルを相対的に上下動させる移動装置と、前記内部支柱に対し前記外部支柱を相対的に上下動させる伸縮装置とからなることとした。
【０００６】
また、請求項２に係る発明は、前記テーブルの下部に前記基台を収納する収納部を設けることとした。
【０００７】
また、請求項３に係る発明は、前記テーブルが、一対の側枠体を有し、前記側枠体は前記支柱に上下動可能に備えられると共に、前記昇降手段を駆動する駆動手段を有することとした。
【０００８】
また、請求項４に係る発明は、前記側枠体に操作部を設けることとした。
【０００９】
また、請求項５に係る発明は、前記伸縮装置が、一端が前記側枠体に固定され、他端が前記外部支柱の上端に設けた第１滑車を介して前記内部支柱の上端に固定される第１チェーンと、一端が前記側枠体に固定され、他端が前記外部支柱の下端に設けた第２滑車を介して前記内部支柱の上端に固定される第２チェーンとからなることとした。
【発明の効果】
【００１０】
本発明の請求項１に記載の昇降装置によれば、支柱が基台に保持された内部支柱と、前記内部支柱に摺動自在に外嵌した外部支柱とにより構成され、前記外部支柱に対し前記テーブルを相対的に上下動させる移動装置と、前記内部支柱に対し前記外部支柱を相対的に上下動させる伸縮装置とからなる昇降手段により支柱を昇降させるので、昇降装置を小型化することができ、容易に取り扱うことができる。
【００１１】
また、請求項２に記載の昇降装置によれば、テーブルを下降させた場合に基台を収納部に収納することにより、テーブルに設けた移動手段が地面に当接し、昇降装置を自在に移動させることができる。
【００１２】
また、請求項３に記載の昇降装置によれば、側枠体の中に駆動手段を設けることとしたことにより、昇降装置をより小型化することができ、容易に取り扱うことができる。
【００１３】
また、請求項４に記載の昇降装置によれば、側枠体に設けた操作レバーによりテーブルの昇降を操作することができるので、容易に取り扱うことができる。
【００１４】
また、請求項５に記載の昇降装置によれば、移動装置に連動して伸縮装置を動作させることができるので、テーブルをより速やかに昇降させることができると共に、昇降装置を簡略化できる。
【発明を実施するための最良の形態】
【００１５】
以下図面を参照して、本発明の好適実施例について説明する。図１に示す昇降装置１は、基台２と、前記基台２に設置された伸縮自在の支柱３と、前記支柱３に支持されたテーブル４とを備える。
【００１６】
基台２は、角部材を組み合わせて構成され、長手方向に延びる左右一対の側部材2aと、前記側部材2aをその一端で接続する縦部材2bとによりコ字状に形成される。前記基台２の下面には、滑止部材５が四隅に備えられている。滑止部材５は例えば弾力性を有するラバーなどが用いられる。
【００１７】
支柱３は、前記一対の側部材2aにそれぞれ垂直方向に立設され、伸縮自在の角部材で構成される。この支柱３の上部は、後述する側枠体に設けられたカバー部材７で覆われている。前記カバー部材７の上端には、前記支柱３の伸縮を操作する操作部である操作レバー８が設けられている。この操作レバー８は、図示しない制御回路に接続されている。
【００１８】
前記テーブル４は、平板状の底部10と、前記底部10の幅方向に設けられた左右一対の前記側枠体６とを備える。このテーブル４は、前記側枠体６の長手方向の略中央において前記支柱３に上下動可能に遊嵌されている。前記側枠体６は、中空の直方体で構成され、内部には後述する駆動手段が設置されている。また、前記側枠体６には、移動手段である自在車輪11が前後方向に合計４個設けられている。後側には、前方に設けられた自在車輪11より大径のものが備えられる。また、前方の車輪11は、鉛直方向に延びる軸を中心として基台２に対して回転自在に支持されている。前記テーブル４の下部には、前記基台２を収納する収納部12が設けられている。前記収納部12は、側枠体６の下面に長手方向に形成された隙間によって構成される。この隙間は、側枠体６の下面と底部10の下面との間に形成された段差により形成される。
【００１９】
また、前記テーブル４は、保護柵13で四方が囲まれている。前記保護柵13は、前記側枠体６の上部に設けられた支持柵14と、前記支持柵14の前後を塞ぐ開閉柵15とからなり、前記開閉柵15はヒンジ16により前記支持柵14に軸支されている。
【００２０】
次に図２を参照して前記テーブル４を昇降する昇降手段20の構成について説明する。図２に示す昇降手段20は、前記支柱３に対し前記テーブル４を相対的に上下動させる移動装置21と、前記支柱３を伸縮させる伸縮装置22とからなる。前記側枠体６は、前記支柱３を遊嵌する貫通穴23と、前記支柱３に平行に設けられた背板24とを備え、前記移動装置21が設けられている側に前記駆動手段25を備える。
【００２１】
前記移動装置21は、支柱３の表面に固設された固定チェーン26と、この固定チェーン26に係合するスプロケットたる移動滑車27と、前記移動滑車27を駆動する前記駆動手段25と、前記駆動手段25の駆動力を前記移動滑車27に伝達する減速歯車群28とからなる。前記移動滑車27は、前記支柱３の表面に対向して、かつ、前記固定チェーン26に歯が係合した状態で前記側枠体６に軸支されている。前記減速歯車群28は、前記駆動手段25の駆動力を多段階で減速し、前記移動滑車27に伝達する。駆動手段25の出力軸25aは、まず、大径の第１歯車28aに連結している。前記第１歯車28aは同軸上に設けられた小径の第２歯車28bに連結している。第２歯車28bは、前記移動滑車27と同軸上に設けられた第３歯車28cに連結している。減速歯車群28はチェーン29でそれぞれ連結され、前記第１歯車28aと第２歯車28b及び第３歯車28cと移動滑車27とはそれぞれ一体的に回転する。また、減速歯車群28は側枠体６に軸支されている。また、前記駆動手段25の出力軸25aはシャフト30に連結されている。シャフト30は、昇降装置１の幅方向に横架され、一対の側枠体６にそれぞれ設けられた駆動手段25の出力軸25aとチェーン29を介して連結されている。これにより他方の側枠体６に設けられた駆動手段25と同期が図られる。
【００２２】
前記支柱３は、内部支柱3aと、前記内部支柱3aに上下動自在に外嵌した外部支柱3bとからなる。前記内部支柱3aは、下端において前記基台２の側部材2aに固定されており、この内部支柱3aに対し外部支柱3bを相対的に上下動させることにより支柱３を伸縮させる。この支柱３は伸縮装置22によって伸縮される。
【００２３】
伸縮装置22は、前記外部支柱3bの上端に設けられたスプロケットたる第１滑車31と、前記第１滑車31に係回される第１チェーン32と、前記外部支柱3bの下端に設けられたスプロケットたる第２滑車33と、前記第２滑車33に係回される第２チェーン34とからなる。前記第１チェーン32は、一端32aが前記側枠体６に固定され、他端32bが前記外部支柱3bの上端に設けた第１滑車31を介して内部支柱3aの上端に固定される。また、前記第２チェーン34は、一端34aが前記側枠体６に固定され、他端34bが前記外部支柱3bの下端に設けた第２滑車33を介して内部支柱3aの上端に固定される。前記第１及び第２チェーン32,34の一端32a,34aは前記背板24に連結されることにより、前記側枠体６に固定される。前記内部支柱3aの上端は、補強板35が外面に設けられており、この補強板35に前記第１及び第２チェーン32,34の他端32b,34bが固定される。また、前記内部支柱3aの上部外側には、前記外部支柱3bの内面を転動する転動体36aが軸支されている。同じく、前記外部支柱3bの下部内側には、前記内部支柱3aの外面を転動する転動体36bが軸支されている。
【００２４】
次に上記構成の作用について説明する。まず、テーブル４が最下点すなわち、自在車輪11が地面Ｇに当接している状態（図３）から、テーブル４を上昇させる場合について説明する。尚、前記開閉柵15を開放することによってテーブル４に作業者が乗り込むことができる。
【００２５】
テーブル４を上昇させるには、図３に示す前記操作レバー８を操作して駆動手段25を起動する。駆動手段25を起動すると、図２に示すように、その駆動力が減速歯車群28に伝達される。減速歯車群28に伝達された駆動力は、低速かつ高トルクの駆動力となって移動滑車27に伝達される。移動滑車27に駆動力が伝達されると、移動滑車27が固定チェーン26に係合しながら回転する。移動滑車27が固定チェーン26に係合しながら回転すると、側枠体６すなわちテーブル４が外部支柱3bに対し上方へ移動する。このとき、自在車輪11が地面Ｇから上昇し、基台２が地面Ｇに当接する。基台２の下面には滑止部材５が設けられているので、昇降装置１を安定的に支持することができる。また、クッション性を有する滑止部材５を用いることにより、基台２が地面Ｇに当接する際の衝撃を滑止部材５により吸収し、テーブル４上の作業者、及び昇降装置１への負担を軽減することができる。
【００２６】
テーブル４が上方へ移動すると第２チェーン34の一端34aが上昇する。第２チェーン34の一端34aが上昇すると、第２チェーン34が外部支柱3bの下端を持ち上げる。第２チェーン34が外部支柱3bの下端を持ち上げると、外部支柱3bが内部支柱3aに対して相対的に上昇する。このようにして、移動装置21によってテーブル４が外部支柱3bに対し上方へ移動すると、伸縮装置22が連動して支柱３を伸長させることができる（図４）。このとき、内部支柱3aと外部支柱3bとは互いに転動体34a,34bにより支持されているので、外部支柱3bは円滑に上方へ移動することができる。
【００２７】
次に、上昇した状態（図１）からテーブル４を最下点すなわち自在車輪11が地面Ｇに当接する状態（図３）までテーブル４を下降させる場合について説明する。まず、操作レバー８を操作し、駆動手段25を逆回転させる。駆動手段25が逆回転すると、その駆動力が減速歯車群28を介して移動滑車27に伝達される。移動滑車27に駆動力が伝達されると、側枠体６すなわちテーブル４が外部支柱3bに対し下方へ移動する。テーブル４が下方へ移動すると第１チェーン32の一端32aが下降する。第１チェーン32の一端32aが下昇すると、第１チェーン32が外部支柱3bの上端を押下げる。第１チェーン32が外部支柱3bの上端を押下げると、外部支柱3bが内部支柱3aに対して相対的に下降する。このようにして、移動装置21によってテーブル４が外部支柱3bに対し下方へ移動すると、伸縮装置22が連動して支柱３を収縮させる（図２）。そして、自在車輪11が地面Ｇに当接し、さらに支柱３を収縮させると、基台２が地面Ｇから浮上する。基台２が地面Ｇから浮上すると、昇降装置１は、自在車輪11により自在に移動することができる。また、前記昇降装置１は、支柱３がカバー部材７で覆われていることにより、テーブル４を昇降させる際、移動装置21や伸縮装置22に手などが巻き込まれることを防止するので、安全に作業をすることができる。
【００２８】
上記のように本実施形態においては、基台２と、前記基台２に保持された伸縮自在の支柱３と、前記支柱３に支持された自在車輪11を有するテーブル４と、前記テーブル４を昇降させる昇降手段20とを備え、前記支柱３は、前記基台２に保持された内部支柱3aと、前記内部支柱3aに摺動自在に外嵌した外部支柱3bとからなり、前記昇降手段20は、前記外部支柱3bに対し前記テーブル４を相対的に上下動させる移動装置21と、前記内部支柱3aに対し前記外部支柱3bを相対的に上下動させる伸縮装置22とからなるから、昇降装置１を小型化することができ、容易に取り扱うことができる。
【００２９】
また、前記テーブル４の下部に前記基台２を収納する収納部12を設けることとしたから、テーブル４を下降させた場合に基台２を収納部12に収納することにより、テーブル４に設けた自在車輪11が地面Ｇに当接し、昇降装置１を自在に移動させることができる。
【００３０】
また、前記テーブル４は、一対の側枠体６を有し、前記側枠体６は前記支柱３に上下動可能に備えられると共に、前記昇降手段20を駆動する駆動手段25を有することとしたから、昇降装置１をより小型化することができ、容易に取り扱うことができる。
【００３１】
また、前記カバー部材７の上端に操作レバー８を設けることとしたから、操作レバー８によりテーブル４の昇降を操作することができるので、容易に取り扱うことができる。
【００３２】
また、前記伸縮装置22が、一端32aが前記側枠体６に固定され、他端32bが前記外部支柱3bの上端に設けた第１滑車31を介して前記内部支柱3aの上端に固定される第１チェーン32と、一端34aが前記側枠体６に固定され、他端34bが前記外部支柱3bの下端に設けた第２滑車33を介して前記内部支柱3aの上端に固定される第２チェーン34とからなることとしたから、移動装置21に連動して伸縮装置22を動作させることができるので、テーブル４をより速やかに昇降させることができると共に、昇降装置１を簡略化できる。
【００３３】
本発明は、本実施形態に限定されるものではなく、本発明の要旨の範囲内で種々の変形実施が可能である。
【００３４】
尚、上記実施例においては、移動装置21として、支柱３の表面に固設された固定チェーン26と、この固定チェーン26に係合する移動滑車27と、前記移動滑車27を駆動する前記駆動手段25と、前記駆動手段25の駆動力を前記移動滑車27に伝達する減速歯車群28とからなるものについて説明したが、本発明はこれに限らず、ウィンチや油圧シリンダーなどを用いて外部支柱3bに対しテーブル４を上下方向に移動させることとしてもよい。
【００３５】
さらに、上記実施例においては、移動手段として前方自在車輪115aと後方自在車輪115bを用いる場合について説明したが、本発明はこれに限らず、キャタピラなど種々の移動手段を用いることとしてもよい。
【００３６】
さらに、上記実施例においては、貨物自動車41の荷台42に本発明の昇降装置１を適用するようにした場合について説明したが、本発明はこれに限らず、貨車の荷台42など種々の車両の荷台42に本発明の昇降装置１を適用するようにしてもよい。
【００３７】
さらに、上記実施例においては、基台２は内部支柱3aに遊嵌され、前後方向に摺動可能とした場合について説明したが、本発明はこれに限らず、長手方向に延びる基台２を伸縮自在としてもよい。
さらに、上記実施例においては、自在車輪1138は側枠体６の前後方向に合計４個設けられる場合について説明したが、本発明はこれに限らず、長手方向に複数設けることとしてもよく、長手方向に延びるキャタピラとしてもよい。
【図面の簡単な説明】
【００３８】
【図１】本発明に係る昇降装置の全体構成を示す斜視図であり、テーブル上昇時を示す図である。
【図２】昇降装置の縦断面図であり、テーブル下降時の状態を示す図である。
【図３】昇降装置の全体構成を示す図であり、テーブル下降時の状態を示す図である。
【図４】昇降装置の縦断面図であり、テーブル上昇時の状態を示す図である。
【符号の説明】
【００３９】
１    昇降装置
２    基台
３    支柱
４    テーブル
６    側枠体
11    移動車輪
12    収納部
【図１】
2006312520.tif 000003
【図２】
2006312520.tif 000004
【図３】
2006312520.tif 000005
【図４】
2006312520.tif 000006